(57)【特許請求の範囲】
【請求項１】
光学レンズであって、
前方湾曲レンズ外面及び前方湾曲レンズ内面を備える前方湾曲レンズであって、前記前方湾曲レンズ外面及び前記前方湾曲レンズ内面の両方が、弓形形状を有する、前方湾曲レンズと、
後方湾曲レンズ内面及び後方湾曲レンズ外面を備える後方湾曲レンズであって、前記後方湾曲レンズ内面及び前記後方湾曲レンズ外面の両方が、弓形形状を有し、前記後方湾曲レンズが、前記前方湾曲レンズ内面及び前記後方湾曲レンズ内面が、前記前方湾曲レンズ内面及び前記後方湾曲レンズ内面の間に空洞を形成するように、前記前方湾曲レンズに隣接して位置する、後方湾曲レンズと、
前記前方湾曲レンズ内面の一部分上の導電性コーティングであって、前記一部分が、前記前方湾曲レンズ内面の周囲区域を含む、導電性コーティングと、
前記後方湾曲レンズに隣接する位置で前記前方湾曲レンズを固定する接着剤と、を備え、
前記前方湾曲レンズ及び前記後方湾曲レンズの少なくとも一方には、内面から外面に向けて貫通するチャネルが形成され、前記チャネルには導電材料が充填され、前記導電材料は電気端子を形成するか、又は、電気端子に接続されて、電荷が前記電気端子に印加され、
前記導電性コーティングは、前記前方湾曲レンズ内面から前記前方湾曲レンズ外面に沿って延びると共に、前記後方湾曲レンズ内面から前記後方湾曲レンズ外面に沿って延び、前記前方湾曲レンズと前記後方湾曲レンズとの当接部分に位置し、前記電荷が前記電気端子を介して前記導電性コーティングに印加される、光学レンズ。
【請求項２】
前記空洞内に収容されるある容量の油及びある容量の食塩水溶液と、前記油と食塩水溶液との間に形成されるメニスカスとを更に含む、請求項１に記載の光学レンズ。
【請求項３】
前記油の容量が、前記空洞内に収容される前記食塩水溶液の容量未満である、請求項２に記載の光学レンズ。
【請求項４】
前記油の容量が、食塩水溶液の量と比較して、６６容量％以上を構成する、請求項３に記載の光学レンズ。
【請求項５】
前記油の容量が、食塩水溶液の量と比較して、９０容量％以下を構成する、請求項３に記載の光学レンズ。
【請求項６】
前記油が、前記食塩水溶液の密度と等しい密度を含む、請求項２に記載の光学レンズ。
【請求項７】
前記前方湾曲レンズ外面が、０以外の屈折力を有する、請求項３に記載の光学レンズ。
【請求項８】
前記前方湾曲レンズ内面が、０以外の屈折力を有する、請求項３に記載の光学レンズ。
【請求項９】
前記後方湾曲レンズ外面が、０以外の屈折力を有する、請求項３に記載の光学レンズ。
【請求項１０】
前記後方湾曲レンズ内面が、０以外の屈折力を有する、請求項３に記載の光学レンズ。
【請求項１１】
前記チャネルが、前記前方湾曲レンズ及び前記後方湾曲レンズの両方に形成され、前記導電材料が、前記チャネルを充填する、請求項３に記載の光学レンズ。
【請求項１２】
前記電気端子が前記チャネルを充填する前記導電材料と電気的に導通している、請求項１１に記載の光学レンズ。
【請求項１３】
前記電荷を前記電気端子に印加することにより、前記メニスカスの形状に変化をもたらす、請求項１２に記載の光学レンズ。
【請求項１４】
前記前方湾曲レンズの前記内面の少なくとも一部分に沿って絶縁体コーティングを更に備え、前記絶縁体コーティングが、電気絶縁体を備える、請求項３に記載の光学レンズ。
【請求項１５】
前記絶縁体が、パリレンＣ及びテフロンＡＦのうちの１つを含む、請求項１４に記載の光学レンズ。
【請求項１６】
前記絶縁体が、前記導電性コーティングと、前記前方湾曲レンズと前記後方湾曲レンズとの間の前記空洞に収容される食塩水溶液との間の分離を維持するための境界区域を備える、請求項１４に記載の光学レンズ。
【発明の詳細な説明】
【技術分野】
【０００１】
（関連出願の相互参照）
本出願は、２０１１年４月２７日に出願された米国特許出願第１３／０９５，７８６号及び２０１０年５月１４日に出願された米国特許出願第６１／３３４，７８０号に対して優先権を主張するものである。
【０００２】
（発明の分野）
本発明は、概して、弓形液体メニスカスレンズに関し、一部の特定の実施形態は、前方湾曲弓形レンズ及び後方湾曲弓形レンズを備える液体メニスカスレンズを含む。
【背景技術】
【０００３】
液体メニスカスレンズは、様々な産業において公知である。図１Ａ及び１Ｂを参照しながら以下により詳細に説明されるように、既知の液体メニスカスレンズは、直線である軸線から固定された距離の点により形成される周囲表面によって円柱形状に設計されていた。既知の液体メニスカスレンズは、第２の内面に略平行であり、それぞれが円柱軸に対して垂直である第１の内面設計に制限されてきた。液体メニスカスレンズの使用の既知の例としては、電子カメラ及び携帯電話装置等の装置が挙げられる。
【０００４】
従来、コンタクトレンズ及び眼内レンズ等の眼科用装置には、矯正、美容、又は治療的性質を有する生体適合性装置が含まれていた。例えば、コンタクトレンズは、視力矯正機能、美容強化、及び治療効果のうちの１つ又は２つ以上を提供することができる。それぞれの機能は、レンズの物理的特性によって提供される。レンズに屈折性質を組み込む設計は、視力矯正機能を提供することができる。レンズに組み込まれる顔料は、美容強化を提供することができる。レンズに組み込まれる活性薬剤は、治療的機能を提供することができる。
【０００５】
更に近年では、電子成分が、コンタクトレンズに組み込まれ得ることが理論化されている。いくつかの成分は、半導体装置を含むことができる。しかしながら、液体メニスカスレンズの大きさ、形状、及び制御態様を含む物理的制約が、眼科用レンズにおけるそれらの使用を不可能にしてきた。一般に、「ホッケーパック」形状と呼ばれることがある、液体メニスカスレンズの円柱形状のために、ヒトの眼の中で機能し得るものがもたらされなかった。他の湾曲レンズは理論的であるに過ぎず、眼科用の現実的な設計を提供してはいない。
【発明の概要】
【発明が解決しようとする課題】
【０００６】
したがって、本発明は、コンタクトレンズ又は眼内レンズ等の眼科用レンズの包含を助長する物理的特色を有する液体メニスカスレンズを提供する。
【課題を解決するための手段】
【０００７】
本発明によると、第１の弓形形状の光学部品は、第２の弓形形状の光学部品に隣接し、それらの間に空洞を形成する。食塩水溶液及び油は、空洞内に維持される。電荷を第１の弓形光学部品及び第２の弓形光学部品のうちの１つ又は両方の周囲区域に印加することにより、空洞内に維持された食塩水溶液と油との間に形成されるメニスカスの物理的形状が変化する。
【図面の簡単な説明】
【０００８】
【図１Ａ】第１の状態における円柱形液体メニスカスレンズの先行技術の例を図示する。
【図１Ｂ】第２の状態における円柱形液体メニスカスレンズの先行技術の例を図示する。
【図２】本発明の一部の実施形態による、代表的な液体メニスカスレンズのプロファイル切り出し断面を図示する。
【図３】本発明の一部の実施形態による、代表的な弓形液体メニスカスレンズの一部分の断面を図示する。
【図４】弓形液体メニスカスレンズの更なる代表的な態様を図示する。
【発明を実施するための形態】
【０００９】
本発明は、液体メニスカスレンズのメニスカス空洞を画定する前方湾曲レンズ及び後方湾曲レンズのうちの少なくとも１つを有する液体メニスカスレンズを提供する。
【００１０】
ここで図１Ａを参照すると、シリンダ１１０内に収容される油１０１及び食塩水溶液１０２を有する先行技術のレンズ１００の断面図が図示される。シリンダ１１０は、２つの光学材料１０６のプレートを含む。各プレート１０６は、平坦な内面１１３〜１１４を含む。シリンダ１１０は、本質的に回転対称である内面を含む。一部の先行技術の実施形態では、１つ又は２つ以上の表面は、疎水性コーティングを含むことができる。電極１０５も、シリンダの周囲上又はその周りに含まれる。電気絶縁体も、電極１０５に隣接して使用され得る。
【００１１】
先行技術によると、内面１１３〜１１４のそれぞれは、本質的に平坦又は平面的である。境界面１１２Ａは、食塩水１０２Ａと油１０１との間に画定される。図１Ａに図示されるように、境界面１１２Ａの形状は、食塩水１０２Ａ及び油１０１の屈折率特性と組み合わされて、第１の内面１１３を通して入射光１０８を受容し、第２の内面１１３を通して発散光１０９を提供する。油１０１と食塩水１０２との間の境界面の形状は、電極１０５に電流を印加することにより変化し得る。
【００１２】
図１００Ａは、１００で図示される先行技術のレンズの斜視図を図示する。
【００１３】
ここで図１Ｂを参照すると、先行技術のレンズ１００は、電圧を印加した状態で図示される。電圧を印加した状態は、電極１０５に電圧１１４を印加することによって達成される。油１０１と食塩水１０２との間の境界面１１２Ｂの形状は、電極１０５に電流を印加することにより変化する。図１Ｂに図示されるように、油１０１及び食塩水１０２Ｂを通過する入射光１０８Ｂは、集束光パターン１１１に集束される。
【００１４】
ここで図２を参照すると、液体メニスカスレンズ２００の断面図は、前方湾曲レンズ２０１及び後方湾曲レンズ２０２を有する。前方湾曲レンズ２０１及び後方湾曲レンズ２０２は、相互に隣接して位置し、それらの間に空洞２１０を形成する。前方湾曲レンズは、凹状弓形内側レンズ表面２０３と、凸状弓形外側レンズ表面２０４とを含む。凹状弓形レンズ表面２０３は、１つ又は２つ以上のコーティング（図２に図示せず）を有することができる。コーティングは、例えば、導電性の材料若しくは電気的に絶縁性の材料、疎水性材料若しくは親水性材料のうちの１つ又は２つ以上を含むことができる。弓形レンズ表面２０３及びコーティングのうちの１つ又は両方は、空洞２１０内に収容される油２０８と液体及び光学連通である。
【００１５】
後方湾曲レンズ２０２は、凸状弓形内側レンズ表面２０５と、凹状弓形外側レンズ表面２０５とを含む。凸状弓形レンズ表面２０５は、１つ又は２つ以上のコーティング（図２に図示せず）を有することができる。コーティングは、例えば、導電性の材料若しくは電気的に絶縁性の材料、疎水性材料若しくは親水性材料のうちの１つ又は２つ以上を含むことができる。凸状弓形レンズ表面２０５及びコーティングのうちの少なくとも１つは、空洞２１０内に収容される食塩水溶液２０７と液体及び光学連通である。食塩水溶液２０７は、導電性である１つ又は２つ以上の塩又は他の成分を含み、そのため、電荷に引かれるか、又はそれによって退けられるかのいずれかであり得る。
【００１６】
本発明によると、導電性のコーティング２０９は、前方湾曲レンズ２０１及び後方湾曲レンズ２０２のうちの１つ又は両方の周辺部の少なくとも一部分に沿って位置する。導電性のコーティング２０９は、金又は銀を含むことができ、好ましくは生体適合性である。電荷を導電性のコーティング２０９に印加することにより、食塩水溶液中の導電性の塩又は他の成分を引き寄せるか、又は退けるかのいずれかを生じさせる。
【００１７】
前方湾曲レンズ２０１は、凹状弓形内側レンズ表面２０３及び凸状弓形外側レンズ表面２０４を通過する光に関して屈折力を有する。屈折力は、０であるか、又は正若しくは負の力であってもよい。一部の好ましい実施形態では、屈折力は、非限定的な例として、−８．０〜＋８．０ジオプターの力等の矯正コンタクトレンズに典型的に見られる力である。
【００１８】
後方湾曲レンズ２０２は、凸状弓形内側レンズ表面２０５及び凹状弓形外側レンズ表面２０６を通過する光に関して屈折力を有する。屈折力は、０であるか、又は正若しくは負の力であってもよい。一部の実施形態では、屈折力は、非限定的な例として、−８．０〜＋８．０ジオプターの力等の矯正コンタクトレンズに典型的に見られる力である。
【００１９】
様々な実施形態は、食塩水溶液２０７と油との間に形成される液体メニスカス２１１の形状の変化に関連する屈折力の変化も含むことができる。一部の実施形態では、屈折力の変化は、例えば、０〜２．０ジオプターの変化の変化等、比較的小さくてもよい。他の実施形態では、液体メニスカスの形状の変化に関連する屈折力の変化は、最大約３０又はそれ以上のジオプターの変化であってもよい。一般に、液体メニスカス２１１の形状の変化に関連するより大きな屈折力の変化は、比較的より厚いレンズ厚２１０に関連する。
【００２０】
本発明の一部の実施形態によると、コンタクトレンズ等の眼科用レンズに含まれ得るそれらの実施形態のように、弓形液体メニスカスレンズ２００の横断レンズ厚２１０は、最大約１，０００マイクロメートルの厚さである。比較的より薄いレンズ２００の代表的なレンズ厚２１０は、最大約２００マイクロメートルの厚さである。好ましい実施形態は、約６００マイクロメートルの厚さのレンズ厚２１０を有する液体メニスカスレンズ２００を含むことができる。一般に、前方湾曲レンズ２０１の横断厚は、約３５マイクロメートル〜約２００マイクロメートルであってもよく、後方湾曲レンズ２０２の横断厚も、約３５マイクロメートル〜約２００マイクロメートルであってもよい。
【００２１】
本発明によると、集合屈折力は、前方湾曲レンズ２０１、後方湾曲レンズ２０２、及び油２０８と食塩水溶液２０７との間に形成される液体メニスカス２１１の屈折力の集合である。一部の実施形態では、レンズ２００の屈折力は、前方湾曲レンズ２０１、後方湾曲レンズ２０２、油２０８、及び食塩水溶液２０７のうちの１つ又は２つ以上の間での屈折率の差も含む。
【００２２】
コンタクトレンズに組み込まれる弓形液体メニスカスレンズ２００を含むそれらの実施形態では、コンタクト着用者が動くため、食塩水２０７及び油２０８にとって、湾曲した液体メニスカスレンズ２００内のそれらの相対位置で安定した状態を保つことが、更に望ましい。一般に、着用者が動くとき、油２０８が、食塩水２０７に対して浮動かつ移動するのを防止することが好ましく、したがって、油２０８及び食塩水溶液２０７の組み合わせは、好ましくは、同一又は類似する密度で選択される。加えて、油２０８及び食塩水溶液２０７は、食塩水２０７及び油２０８が混合しないように、好ましくは、比較的低い不混和性を有する。
【００２３】
一部の好ましい実施形態では、空洞内に収容される食塩水溶液の容量は、空洞内に収容される油の容量を超える。加えて、一部の好ましい実施形態は、後方湾曲レンズ２００の内面２０５全体と本質的に接触する食塩水溶液２０７を含む。一部の実施形態は、食塩水溶液２０７の量と比較して、約６６容量％以上である油２０８の容量を含むことができる。一部の更なる実施形態は、油２０８の容量が食塩水溶液２０７の量と比較して、約９０容量％以下である、弓形液体メニスカスレンズを含むことができる。
【００２４】
ここで図３を参照すると、端部分の弓形液体メニスカスレンズ３００の断面が図示される。上述のように、弓形液体メニスカスレンズ３００は、組み合わされた前方湾曲レンズ３０１及び後方湾曲レンズ３０２成分を含む。前方湾曲レンズ３０１及び後方湾曲レンズ３０２は、少なくとも部分的に透明である１つ又は２つ以上の材料で形成され得る。一部の実施形態では、前方湾曲レンズ３０１及び後方湾曲レンズ３０２のうちの１つ又は両方は、例えば、ＰＭＭＡ、Ｚｅｏｎｏｒ、及びＴＰＸ等のうちの１つ又は２つ以上の一般に光学的に明澄なプラスチックを含む。
【００２５】
前方湾曲レンズ３０１及び後方湾曲レンズのうちの１つ又は両方は、単刃ダイヤモンド旋削旋盤加工、射出成形、デジタルミラー装置自由形成等のうちの１つ又は２つ以上のプロセスを介して成形され得る。
【００２６】
前方湾曲レンズ３０１及び後方湾曲レンズ３０２のちの１つ又は両方は、図示される導電性コーティング３０３を含むことができ、導電性コーティング３０３は、３０９から３１０までの周囲部分に沿って延在する。一部の好ましい実施形態では、導電性コーティング３０３は金を含む。金は、スパッタプロセス、蒸着、又は他の公知のプロセスを介して適用され得る。代替的な導電性コーティング３０３は、非限定的な例として、アルミニウム、ニッケル、及びインジウムとスズの酸化物を含むことができる。一般に、導電性コーティング３０３は、前方湾曲レンズ３０１及び後方湾曲レンズｃ  ３０２のうちの１つ又は両方の周囲区域に適用される。
【００２７】
本発明の一部の実施形態では、後方湾曲レンズ３０２は、特定の区域に適用される導電性コーティング３０４を有する。例えば、後方湾曲レンズ３０２の周囲の周りの部分は、第１の境界３０４−１から第２の境界３０４−２まで被覆され得る。金コーティングは、例えば、スパッタプロセス又は蒸着を介して適用され得る。一部の実施形態では、前方湾曲レンズ３０１又は後方湾曲レンズ３０２の１つ又は２つ以上の周囲部分の周りに所定のパターンで金又は他の導電材料を適用するために、マスクが使用され得る。代替の導電材料は、様々な方法を使用し、かつ後方湾曲レンズ３０２の様々な区域を被覆することにより適用され得る。
【００２８】
一部の実施形態では、例えば、後方湾曲レンズ３０２の１つ又は２つ以上の穴又はスロット等を通る導電性通路は、例えば、導電性エポキシ等の導電性充填剤材料で充填され得る。導電性充填剤は、前方湾曲レンズ３０１及び後方湾曲レンズ３０２のうちの１つ又は両方の内面上の導電性コーティングに電気的導通を提供することができる。
【００２９】
本発明の別の態様において、前方湾曲レンズ３０１及び後方湾曲レンズ３０２のうちの１つ又は両方は、前方湾曲レンズ３０１及び後方湾曲レンズ３０２（図示せず）の一般に中央区域の光学ゾーンが光学的に透明な材料を含むことができ、周辺部ゾーンが導電性の材料を含む光学的に不透明な区域を含むことができる、複数の異なる材料から作製され得る。光学的に不透明な区域は、制御回路及びエネルギー源のうちの１つ又は２つ以上も含むこともできる。
【００３０】
更に別の態様において、一部の実施形態では、絶縁体コーティング３０５が前方湾曲レンズ３０１に適用される。非限定的な例として、絶縁体コーティング３０５は、第１の領域３０５−１から第２の領域３０５−２に延在する区域に適用される。絶縁体は、例えば、パリレンＣ、テフロンＡＦ、又は様々な電気及び機械特徴並びに電気抵抗を備える他の材料を含むことができる。
【００３１】
一部の実施形態では、絶縁体コーティング３０５は、導電性コーティング３０３と、前方湾曲レンズ３０１と後方湾曲レンズ３０２との間の空洞に収容される食塩水溶液３０６との間の分離を維持するための境界区域を作り出す。したがって、一部の実施形態は、正帯電した導電体３０３及び負帯電した食塩水溶液３０６が接触するのを防止するために、前方湾曲レンズ３０１及び後方湾曲レンズ３０２のうちの１つ又は両方の１つ又は２つ以上の区域でパターン化され、位置付けられた絶縁体コーティング３０５を含み、導電体３０３及び食塩水溶液３０６の接触は、電気的短絡をもたらす。実施形態は、正帯電した食塩水溶液３０６及び負帯電した導電体３０３を含むことができる。
【００３２】
更に他の実施形態は、レンズ３００の操作に関連する回路のリセット機能として、導電体３０３と食塩水溶液３０６との間の短絡を可能にすることができる。例えば、短絡状態は、レンズへの電源を分断し、食塩水溶液３０６及び油３０７をデフォルト位置に回復させる。
【００３３】
一部の好ましい実施形態は、空洞３１１の内側上の区域３０９から空洞３１１の外側の区域３１０に延在する導電体３０３を含む。他の実施形態は、例えば、防水導電性エポキシ等の導電材料３１３で充填され得る、前方湾曲レンズ又は後方湾曲レンズを通るチャネル３１２を含むことができる。導電材料３１３は、空洞の外側の電気端子を形成する、又はそれに接続され得る。電荷は、端子に印加され、チャネル３１２の導電材料３１３を介してコーティングに伝導され得る。
【００３４】
絶縁体コーティング３０５の厚さは、レンズ性能のパラメータとして変化し得る。本発明によると、食塩水溶液３０６及び導電体３０３を含む帯電した成分は、一般に、絶縁体コーティング３０５のいずれかの側に維持される。本発明は、絶縁体コーティング３０５の厚さと、食塩水溶液３０６と導電体３０３との間の電場との間の間接的関係を提供し、食塩水溶液３０６及び導電体３０３がより遠く離れて維持されるほど、電場は弱くなる。
【００３５】
一般に、本発明は、絶縁体コーティング３０５の厚さが増すと、電場の強さが劇的に減少し得ることを提供する。場がより近ければ、一般に球状液体メニスカス境界３０８を移動するためのエネルギーがより利用可能になる。食塩水溶液３０６と導電体３０３との間の距離が増すと、食塩水溶液３０６及び導電体コーティング３０３の電場がより遠くに離れ、したがって、球状メニスカス境界３０８を移動することがより困難になる。反対に、絶縁体コーティング３０５がより薄ければ、球状液体メニスカス３０８の移動が絶縁体コーティング３０５の欠点に対してより敏感になる。一般に、絶縁体コーティング３０５の比較的小さい穴でも、レンズ３００を短絡させる。
【００３６】
一部の実施形態では、同様にレンズ３００内に収容される油３０７の密度と一般に同じである密度で食塩水溶液３０６を含むことが望ましい。例えば、食塩水溶液３０６は、好ましくは、油３０７の密度の１０％以内である密度を含み、より好ましくは、食塩水溶液３０６は、油の密度の５％以内の密度、最も好ましくは約１％以内の密度を含む。一部の実施形態では、食塩水溶液３０６内の塩又は他の成分の濃度は、食塩水溶液３０６の密度を調節するように調節され得る。
【００３７】
本発明によると、弓形液体メニスカスレンズ３００は、前方湾曲レンズ３０１及び後方湾曲レンズ３０２に対する油３０７の移動を制限することにより、より安定した光学品質を提供する。弓形前方湾曲レンズ３０１及び後方湾曲レンズ３０２のうちの１つ又は両方に対する油３０７の移動の安定性を維持する一方法は、油３０７及び食塩水溶液３０６の相対的一致密度を維持することである。加えて、前方湾曲レンズ３０１及び後方湾曲レンズ３０２の両方の内面の湾曲設計により、食塩水溶液３０６の層の相対深度又は厚さは、従来の円柱レンズ設計と比較して減少する。したがって、油の移動及び油３０６と食塩水溶液３０７との間のメニスカスの破損の可能性を回避するために、レンズ３００内の油の位置の安定性が増す。
【００３８】
一部の好ましい実施形態では、食塩水溶液３０６は、比較的高い屈折率を提供する油３０７と比較して、低い屈折率を提供する。しかしながら、一部の実施形態では、油３０７と比較してより高い屈折率を有する食塩水溶液３０６を含むことが可能だが、そのような場合、油は比較的低い屈折率を提供する。
【００３９】
前方湾曲レンズ３０１及び後方湾曲レンズ３０２を相互に隣接した位置に固定するために接着剤３０８が使用され得、それによって、油３０７及び食塩水溶液３０６をそれらの間に保持する。接着剤３０８は、湾曲液体メニスカスレンズ３００から食塩水３０６又は油３０７の漏れがないように、シールとしての機能を果たす。
【００４０】
ここで図４を参照すると、食塩水溶液４０６と油４０７との間の液体メニスカス境界４０１を備える湾曲液体メニスカスレンズ４００が図示される。一部の好ましい実施形態によると、メニスカス壁４０５は、４０２と４０３との間に延在する弓形壁の第１の角度破断によって前方湾曲レンズ４０４に画定される。液体メニスカス境界４０１は、電荷が１つ又は２つ以上の導電体コーティング又は導電材料４０８に沿って印加され、除去されると、メニスカス壁４０５を上下に移動させる。
【００４１】
一部の好ましい実施形態では、導電性コーティング４０３は、食塩水溶液４０６及び油４０７を保有する空洞４０９の内側の区域から食塩水溶液４０６及び油４０７を収容する空洞４０９の外側の区域に延在する。そのような実施形態では、導電性コーティング４０３は、空洞４０９の外側の点の導電性コーティング４０３に印加された電荷の、空洞内の導電性コーティングの区域への管路であり、食塩水溶液４０６と接触してもよい。
【００４２】
〔実施の態様〕
（１）  光学レンズであって、
前方湾曲レンズ外面及び前方湾曲レンズ内面を備える前方湾曲レンズであって、前記前方湾曲レンズ外面及び前記前方湾曲レンズ内面の両方が、弓形形状を有する、前方湾曲レンズと、
後方湾曲レンズ内面及び後方湾曲レンズ外面を備える後方湾曲レンズであって、前記後方湾曲レンズ内面及び前記後方湾曲レンズ外面の両方が、弓形形状を有し、前記後方湾曲レンズが、前記前方湾曲レンズ内面及び前記後方湾曲レンズ内面が、それらの間に空洞を形成するように、前記前方湾曲レンズに隣接して位置する、後方湾曲レンズと、
前記前方湾曲レンズ内面の一部分上の導電性コーティングであって、前記一部分が、前記前方湾曲レンズ内面の周囲区域を含む、導電性コーティングと、
前記後方湾曲レンズに隣接する位置で前記前方湾曲レンズを固定する接着剤と、を備える、光学レンズ。
（２）  前記空洞内に収容されるある容量の油及びある容量の食塩水溶液と、前記油と食塩水溶液との間に形成されるメニスカスとを更に含む、実施態様１に記載の光学レンズ。
（３）  前記油の容量が、前記空洞内に収容される前記食塩水溶液の容量未満である、実施態様２に記載の光学レンズ。
（４）  前記油の容量が、食塩水溶液の量と比較して、約６６容量％以上を構成する、実施態様３に記載の光学レンズ。
（５）  前記油の容量が、食塩水溶液の量と比較して、約９０容量％以下を構成する、実施態様３に記載の光学レンズ。
（６）  前記油の容量が、前記食塩水溶液の密度とほぼ等しい密度を含む、実施態様２に記載の光学レンズ。
（７）  前記油の容量が、前記食塩水溶液の密度の約１０％以内の密度を含む、実施態様２に記載の光学レンズ。
（８）  前記油の容量が、前記食塩水溶液の密度の約５％以内の密度を含む、実施態様２に記載の光学レンズ。
（９）  前記導電性コーティングが、前記空洞の内側の区域から前記空洞の外側の区域に延在する、実施態様２に記載の光学レンズ。
（１０）  前記空洞の外側の前記導電性コーティングの区域が、前記液体メニスカスレンズに電荷を供給するための電気端子を形成する、実施態様９に記載の光学レンズ。
【００４３】
（１１）  前記食塩水溶液及び前記油がメニスカスを形成し、電荷を前記空洞の外側の前記導電性コーティングの区域に印加することにより、前記メニスカスの形状に変化をもたらす、実施態様９に記載の光学レンズ。
（１２）  前記電荷が直流を含む、実施態様９に記載の光学レンズ。
（１３）  前記電荷が約２０．０ボルトを含む、実施態様９に記載の光学レンズ。
（１４）  前記電荷が、約１８．０ボルト〜２２．０ボルトを含む、実施態様９に記載の光学レンズ。
（１５）  前記電荷が約５．０ボルトを含む、実施態様９に記載の光学レンズ。
（１６）  前記電荷が、約３．５ボルト〜約７．５ボルトを含む、実施態様９に記載の光学レンズ。
（１７）  前記前方湾曲レンズ外面が、約０以外の屈折力を有する、実施態様３に記載の光学レンズ。
（１８）  前記前方湾曲レンズ内面が、約０以外の屈折力を有する、実施態様３に記載の光学レンズ。
（１９）  前記後方湾曲レンズ外面が、約０以外の屈折力を有する、実施態様３に記載の光学レンズ。
（２０）  前記後方湾曲レンズ内面が、約０以外の屈折力を有する、実施態様３に記載の光学レンズ。
【００４４】
（２１）  前記前方湾曲レンズ及び前記後方湾曲レンズのうちの１つ又は両方を通るチャネルと、前記チャネルを充填する導電材料とを更に備える、実施態様３に記載の光学レンズ。
（２２）  前記チャネルを充填する前記導電材料と電気的に導通している端子を更に備える、実施態様２１に記載の光学レンズ。
（２３）  電荷を前記端子に印加することにより、前記メニスカスの形状に変化をもたらす、実施態様２２に記載の光学レンズ。
（２４）  前記前方湾曲レンズの前記内面の少なくとも一部分に沿って絶縁体コーティングを更に備え、前記絶縁体コーティングが、電気絶縁体を備える、実施態様３に記載の光学レンズ。
（２５）  前記絶縁体が、パリレンＣ及びテフロンＡＦのうちの１つを含む、実施態様２４に記載の光学レンズ。
（２６）  前記絶縁体が、前記導電性コーティングと、前記前方湾曲レンズと前記後方湾曲レンズとの間の前記空洞に収容される食塩水溶液との間の分離を維持するための境界区域を備える、実施態様２４に記載の光学レンズ。
（２７）  光学レンズであって、
前方湾曲レンズ外面及び前方湾曲レンズ内面を備える前方湾曲レンズであって、前記前方湾曲レンズ外面及び前記前方湾曲レンズ内面の両方が、弓形形状を有する、前方湾曲レンズと、
後方湾曲レンズ内面及び後方湾曲レンズ外面を備える後方湾曲レンズであって、前記後方湾曲レンズ内面及び前記後方湾曲レンズ外面の両方が、弓形形状を有し、前記後方湾曲レンズが、前記前方湾曲レンズ内面及び前記後方湾曲レンズ内面が、前記前方湾曲レンズ内面及び前記後方湾曲レンズ内面の間に空洞を形成するように、前記前方湾曲レンズに隣接して位置する、後方湾曲レンズと、
前記前方湾曲レンズ内面の一部分上の導電性コーティングであって、前記一部分が、前記前方湾曲レンズ内面の周囲区域を含む、導電性コーティングと、
前記後方湾曲レンズに隣接する位置で前記前方湾曲レンズを固定する接着剤と、を備え、
前記前方湾曲レンズ及び前記後方湾曲レンズの少なくとも一方には、内面から外面に向けて貫通するチャネルが形成され、前記チャネルには導電材料が充填され、前記導電材料は電気端子を形成するか、又は、電気端子に接続されて、電荷が前記電気端子に印加され、
前記導電性コーティングは、前記前方湾曲レンズ内面から前記前方湾曲レンズ外面に沿って延びると共に、前記後方湾曲レンズ内面から前記後方湾曲レンズ外面に沿って延び、前記前方湾曲レンズと前記後方湾曲レンズとの当接部分に位置し、前記電荷が前記電気端子を介して前記導電性コーティングに印加される、光学レンズ。
【図１Ａ】
0005944379.tif 000002
【図１Ｂ】
0005944379.tif 000003
【図２】
0005944379.tif 000004
【図３】
0005944379.tif 000005
【図４】
0005944379.tif 000006